(57)【要約】【課題】簡単な構造で、情報の読み取り、または情報の記録性能が向上する。【解決手段】光学ピックアップレンズ駆動装置は、光ピックアップレンズ２と、可動部材３を可動可能に支持する４本の支持ワイヤー４と、４本の支持ワイヤー４が支持される固定部材５と、電磁気力作用により光ピックアップレンズ２を移動制御する駆動手段７と、一端６ａを可動部材３に連結し、他端６ｂにバランスウェイト６ｃを有し、バランスする中途部６ｄを固定部材５に揺動可能に軸支したバランス軸６とを備えている。【選択図】図１
2005196927.tif 000002
【特許請求の範囲】
【請求項１】
光ピックアップレンズと、
可動部材を可動可能に支持する４本の支持ワイヤーと、
前記４本の支持ワイヤーが支持される固定部材と、
電磁気力作用により前記光ピックアップレンズを移動制御する駆動手段と、
一端を前記可動部材に支持し、他端にバランスウェイトを有し、バランスする中途部を前記固定部材に揺動可能に軸支したバランス軸とを備え、
前記光ピックアップレンズを前記可動部材に搭載したことを特徴とする光学ピックアップレンズ駆動装置。
【請求項２】
光ピックアップレンズと、
可動部材を可動可能に支持する４本の支持ワイヤーと、
前記４本の支持ワイヤーが支持される固定部材と、
電磁気力作用により前記光ピックアップレンズを移動制御する駆動手段と、
一端を前記可動部材に支持し、他端にバランスウェイトを有し、バランスする中途部を前記固定部材に揺動可能に軸支したバランス軸とを備え、
前記光ピックアップレンズを前記バランス軸に搭載したことを特徴とする光学ピックアップレンズ駆動装置。
【請求項３】
前記駆動手段は、電磁気力作用する永久磁石と駆動コイルとを有し、
前記永久磁石を固定側に設け、前記駆動コイルを前記可動部材に設けたことを特徴とする請求項１または請求項２に記載の光学ピックアップレンズ駆動装置。
【請求項４】
前記駆動手段は、電磁気力作用する永久磁石と駆動コイルとを有し、
前記永久磁石を固定側に設け、前記駆動コイルを前記バランス軸に設けたことを特徴とする請求項１または請求項２に記載の光学ピックアップレンズ駆動装置。
【請求項５】
前記バランス軸の前記バランスウェイトに永久磁石を設け、前記永久磁石に対向して電磁気力作用により前記光ピックアップレンズをフォーカス、トラック、チルト、ヨーイング方向へ移動制御する微調整駆動手段を備えることを特徴とする請求項１乃至請求項４のいずれか１項に記載の光学ピックアップレンズ駆動装置。
【請求項６】
光ピックアップレンズと、
前記光ピックアップレンズを搭載する可動部材と、
前記可動部材を可動可能に支持する４本の支持ワイヤーと、
前記４本の支持ワイヤーが支持される固定部材と、
一端を前記可動部材に支持し、他端にバランスウェイトを有し、バランスする中途部を前記固定部材に揺動可能に軸支したバランス軸と、
電磁気力作用により前記光ピックアップレンズを前記バランス軸を介して移動制御する駆動手段とを備えることを特徴とする光学ピックアップレンズ駆動装置。
【請求項７】
前記駆動手段は、前記バランス軸の前記バランスウェイトに設けた永久磁石と、前記永久磁石に対向して前記固定部材に設けた駆動コイルとからなることを特徴とする請求項６に記載の光学ピックアップレンズ駆動装置。
【請求項８】
前記バランス軸をジンバル機構により前記固定部材に揺動可能に軸支したことを特徴とする請求項１乃至請求項７のいずれか１項に記載の光学ピックアップレンズ駆動装置。
【請求項９】
前記バランス軸の一端を軸受を介して前記可動部材に支持したことを特徴とする請求項１乃至請求項８のいずれか１項に記載の光学ピックアップレンズ駆動装置。
【請求項１０】
前記軸受は、前記可動部材を前記バランス軸の軸周りの回動が規制されて揺動可能にすることを特徴とする請求項９に記載の光学ピックアップレンズ駆動装置。
【請求項１１】
光ピックアップレンズと、
前記光ピックアップレンズの周囲に等角度で配置した前記光ピックアップレンズを移動制御する複数の駆動制御ユニットと、
前記複数の駆動制御ユニットのそれぞれ備えられ、一端を前記光ピックアップレンズ側に支持し、他端にバランスウェイトを有し、バランスする中途部を揺動可能に軸支したバランス軸とを備えたことを特徴とする光学ピックアップレンズ駆動装置。
【請求項１２】
前記バランス軸の一端を軸受を介して前記光ピックアップレンズ側に支持したことを特徴とする請求項１１に記載の光学ピックアップレンズ駆動装置。
【請求項１３】
前記軸受は、前記光ピックアップレンズ側を前記バランス軸の軸周りの回動が規制されて揺動可能にすることを特徴とする請求項１２に記載の光学ピックアップレンズ駆動装置。
【発明の詳細な説明】
【技術分野】
【０００１】
この発明は、記録媒体上に記録された情報を読み取り、または情報を記録する光学ピックアップレンズ駆動装置に関する。
【背景技術】
【０００２】
従来、光学ピックアップレンズの駆動装置として、例えば特開平１０−２１５６２号公報に記載されるように、光ピックアップレンズを搭載する可動部材を、４本の支持ワイヤーにより可動可能に支持し、永久磁石と駆動コイルとによる電磁気力作用により可動部材に備えられる光ピックアップレンズを移動制御し、記録媒体上に記録された情報を読み取り、または情報を記録するものがある。
【０００３】
ところで、これから展開される大容量の記録媒体に対応した高密度記録媒体として、例えばＤＶＤ、ＭＯ、ＨＤＤ等は飛躍的な性能向上が期待され、今までは、使いたくても使えなかった半導体メモリー、携帯電話、電子カメラ等の光関連分野で使用されるようになっている。
【０００４】
従来、記録媒体上に記録された情報を読み取り、または情報を記録する光学ピックアップレンズ駆動装置は、周波数特性の２次共振点を例えば１０ＫＨｚ以上高く設定できないと使用できないため、可動レンズ部を軽量化し、慣性力の少ない作りに力点が置かれ、現在の光学ピックアップレンズ駆動装置の９０％以上が４本の支持ワイヤーによる４ワイヤー方式を採用している。
【０００５】
そして、外部衝撃に対しては、Ｇセンサ、予備半導体メモリによりデータの連続性を確保している。また、微弱振動に対しては、防振ダンパーゴム等を用いている。
【特許文献１】特開平１０−２１５６２号公報
【発明の開示】
【発明が解決しようとする課題】
【０００６】
ところで、従来の４ワイヤー方式の光学ピックアップレンズ駆動装置においては、外部振動、衝撃対策としてＧセンサ、予備半導体メモリによりデータの連続性を確保するものでは、構造が複雑であり、また微弱振動に対しては、防振ダンパーゴム等を用いるものでは、充分な防振効果が得られない等の問題がある。このため、高密度記録媒体に記録された情報を読み取り、または情報を記録することが困難になっている。また、高密度記録媒体となると、フォーカス、トラックのみを制御していた機能からチルト、ヨーイング機能を追加し、しかも耐振性の強い機構にする必要がある。
【０００７】
この発明は、かかる点に鑑みなされたもので、簡単な構造で、情報の読み取り、または情報の記録性能が向上する光学ピックアップレンズ駆動装置を提供することを目的としている。
【課題を解決するための手段】
【０００８】
前記課題を解決し、かつ目的を達成するために、この発明は、以下のように構成した。
【０００９】
請求項１に記載の発明は、光ピックアップレンズと、
可動部材を可動可能に支持する４本の支持ワイヤーと、
前記４本の支持ワイヤーが支持される固定部材と、
電磁気力作用により前記光ピックアップレンズを移動制御する駆動手段と、
一端を前記可動部材に支持し、他端にバランスウェイトを有し、バランスする中途部を前記固定部材に揺動可能に軸支したバランス軸とを備え、
前記光ピックアップレンズを前記可動部材に搭載したことを特徴とする光学ピックアップレンズ駆動装置である。
【００１０】
請求項２に記載の発明は、光ピックアップレンズと、
可動部材を可動可能に支持する４本の支持ワイヤーと、
前記４本の支持ワイヤーが支持される固定部材と、
電磁気力作用により前記光ピックアップレンズを移動制御する駆動手段と、
一端を前記可動部材に支持し、他端にバランスウェイトを有し、バランスする中途部を前記固定部材に揺動可能に軸支したバランス軸とを備え、
前記光ピックアップレンズを前記バランス軸に搭載したことを特徴とする光学ピックアップレンズ駆動装置である。
【００１１】
請求項３に記載の発明は、前記駆動手段は、電磁気力作用する永久磁石と駆動コイルとを有し、
前記永久磁石を固定側に設け、前記駆動コイルを前記可動部材に設けたことを特徴とする請求項１または請求項２に記載の光学ピックアップレンズ駆動装置である。
【００１２】
請求項４に記載の発明は、前記駆動手段は、電磁気力作用する永久磁石と駆動コイルとを有し、
前記永久磁石を固定側に設け、前記駆動コイルを前記バランス軸に設けたことを特徴とする請求項１または請求項２に記載の光学ピックアップレンズ駆動装置である。
【００１３】
請求項５に記載の発明は、前記バランス軸の前記バランスウェイトに永久磁石を設け、前記永久磁石に対向して電磁気力作用により前記光ピックアップレンズをフォーカス、トラック、チルト、ヨーイング方向へ移動制御する微調整駆動手段を備えることを特徴とする請求項１乃至請求項４のいずれか１項に記載の光学ピックアップレンズ駆動装置である。
【００１４】
請求項６に記載の発明は、光ピックアップレンズと、
前記光ピックアップレンズを搭載する可動部材と、
前記可動部材を可動可能に支持する４本の支持ワイヤーと、
前記４本の支持ワイヤーが支持される固定部材と、
一端を前記可動部材に支持し、他端にバランスウェイトを有し、バランスする中途部を前記固定部材に揺動可能に軸支したバランス軸と、
電磁気力作用により前記光ピックアップレンズを前記バランス軸を介して移動制御する駆動手段とを備えることを特徴とする光学ピックアップレンズ駆動装置である。
【００１５】
請求項７に記載の発明は、前記駆動手段は、前記バランス軸の前記バランスウェイトに設けた永久磁石と、前記永久磁石に対向して前記固定部材に設けた駆動コイルとからなることを特徴とする請求項６に記載の光学ピックアップレンズ駆動装置である。
【００１６】
請求項８に記載の発明は、前記バランス軸をジンバル機構により前記固定部材に揺動可能に軸支したことを特徴とする請求項１乃至請求項７のいずれか１項に記載の光学ピックアップレンズ駆動装置である。
【００１７】
請求項９に記載の発明は、前記バランス軸の一端を軸受を介して前記可動部材に支持したことを特徴とする請求項１乃至請求項８のいずれか１項に記載の光学ピックアップレンズ駆動装置である。
【００１８】
請求項１０に記載の発明は、前記軸受は、前記可動部材を前記バランス軸の軸周りの回動が規制されて揺動可能にすることを特徴とする請求項９に記載の光学ピックアップレンズ駆動装置である。
【００１９】
請求項１１に記載の発明は、光ピックアップレンズと、
前記光ピックアップレンズの周囲に等角度で配置した前記光ピックアップレンズを移動制御する複数の駆動制御ユニットと、
前記複数の駆動制御ユニットのそれぞれ備えられ、一端を前記光ピックアップレンズ側に支持し、他端にバランスウェイトを有し、バランスする中途部を揺動可能に軸支したバランス軸とを備えたことを特徴とする光学ピックアップレンズ駆動装置である。
【００２０】
請求項１２に記載の発明は、前記バランス軸の一端を軸受を介して前記光ピックアップレンズ側に支持したことを特徴とする請求項１１に記載の光学ピックアップレンズ駆動装置である。
【００２１】
請求項１３に記載の発明は、前記軸受は、前記光ピックアップレンズ側を前記バランス軸の軸周りの回動が規制されて揺動可能にすることを特徴とする請求項９に記載の光学ピックアップレンズ駆動装置である。
【発明の効果】
【００２２】
前記構成により、この発明は、以下のような効果を有する。
【００２３】
請求項１に記載の発明によれば、一端を可動部材に支持し、他端にバランスウェイトを有し、バランスする中途部を固定部材にジンバル式軸受を介して揺動可能に軸支したバランス軸を備え、光ピックアップレンズを可動部材に搭載することで、外部振動、衝撃による慣性モーメントをバランス軸によりバランスさせる簡単な構造で、情報の読み取り、または情報の記録性能を向上させることができる。
【００２４】
請求項２に記載の発明によれば、一端を可動部材に支持し、他端にバランスウェイトを有し、バランスする中途部を固定部材にジンバル式軸受を介して揺動可能に軸支したバランス軸を備え、光ピックアップレンズをバランス軸に搭載することで、外部振動、衝撃による慣性モーメントをバランス軸によりバランスさせる簡単な構造で、情報の読み取り、または情報の記録性能を向上させることができる。
【００２５】
請求項３に記載の発明によれば、永久磁石を固定側に設け、駆動コイルを可動部材に設け、可動部材側で電磁気力作用により光ピックアップレンズの移動制御を行なうことができる。
【００２６】
請求項４に記載の発明によれば、永久磁石を固定側に設け、駆動コイルをバランス軸に設け、バランス軸側で電磁気力作用により光ピックアップレンズの移動制御を行なうことができる。
【００２７】
請求項５に記載の発明によれば、バランス軸を介して電磁気力作用により光ピックアップレンズをフォーカス、トラック、チルト、ヨーイング方向へ移動制御する微調整駆動手段を備えることで、より高精度な光ピックアップレンズの移動制御が可能である。
【００２８】
請求項６に記載の発明によれば、電磁気力作用により光ピックアップレンズをバランス軸を介して移動制御する駆動手段を備えることで、外部振動、衝撃による慣性モーメントをバランス軸によりバランスさせることができ、かつバランス軸を介して光ピックアップレンズを移動制御することで、簡単な構造で、情報の読み取り、または情報の記録性能を向上させることができる。
【００２９】
請求項７に記載の発明によれば、永久磁石と駆動コイルとの簡単な構造で、バランス軸側で電磁気力作用により光ピックアップレンズの移動制御を行なうことができる。
【００３０】
請求項８に記載の発明によれば、バランス軸をジンバル機構により固定部材に揺動可能に軸支したことで、バランス軸の揺動抵抗が小さく高精度にバランスさせることができる。
【００３１】
請求項９に記載の発明によれば、バランス軸の一端を軸受を介して可動部材に支持したから、可動部材が自由に揺動でき高精度な光ピックアップレンズの移動制御が可能である。
【００３２】
請求項１０に記載の発明によれば、可動部材がバランス軸の軸周りの回動が規制されて揺動可能であり、高精度な光ピックアップレンズの移動制御が可能で、かつ外部振動、衝撃による慣性モーメントをバランス軸によりバランスさせることができる。
【００３３】
請求項１１に記載の発明によれば、光ピックアップレンズの周囲に等角度で複数の駆動制御ユニットを配置し、この複数の駆動制御ユニットにより光ピックアップレンズを移動制御し、複数の駆動制御ユニットに備えたバランス軸により外部振動、衝撃による慣性モーメントをバランスさせることができ、簡単な構造で、情報の読み取り、または情報の記録性能を向上させることができる。
【００３４】
請求項１２に記載の発明によれば、バランス軸の一端を軸受を介して光ピックアップレンズ側に支持したから、光ピックアップレンズ側が自由に揺動でき高精度な光ピックアップレンズの移動制御が可能である。
【００３５】
請求項１３に記載の発明によれば、光ピックアップレンズ側がバランス軸の軸周りの回動が規制されて揺動可能であり、高精度な光ピックアップレンズの移動制御が可能で、かつ外部振動、衝撃による慣性モーメントをバランス軸によりバランスさせることができる。
【発明を実施するための最良の形態】
【００３６】
以下、この発明の光学ピックアップレンズ駆動装置の実施の形態を図面に基づいて説明するが、この発明は、この実施の形態に限定されない。また、この発明の実施の形態は、発明の最も好ましい形態を示すものであり、この発明の用語はこれに限定されない。
【００３７】
まず、第１の実施の形態を、図１乃至図６に基づいて説明する。図１は光学ピックアップレンズ駆動装置の平面図、図２は光学ピックアップレンズ駆動装置の側面図、図３はジンバル機構を示す断面図、図４は図３のＩＶ−ＩＶ線に沿う断面、図５は可動部材とバランス軸との連結を示す平面図、図６は可動部材とバランス軸との連結を示す可動部材側から見た図である。
【００３８】
この実施の形態の光学ピックアップレンズ駆動装置１は、光ピックアップレンズ２、可動部材３、４本の支持ワイヤー４、固定部材５、バランス軸６及び駆動手段７を備える。光ピックアップレンズ２は、記録媒体上に記録された情報を読み取り、または情報を記録し、可動部材３に搭載されている。
【００３９】
可動部材３は、４本の支持ワイヤー４によって可動可能に支持されている。この４本の支持ワイヤー４は、上下で、左右の同位置に配置され、基部４ａが固定部材５に固定され、先端部４ｂが可動部材３に固定され、可動部材３を平行移動可能に支持している。
【００４０】
駆動手段７は、永久磁石８及び駆動コイル９を有し、電磁気力作用により光ピックアップレンズ２をフォーカス方向及びトラック方向へ移動制御する。この実施の形態では、永久磁石８がＵ状の鉄心１０の一方側に沿って長く設けられ、この鉄心１０はベース等に固定され、図１に示すように、可動部材３の開口３ａに配置されている。
【００４１】
駆動コイル９は、フォーカス駆動コイル９ａと左右一対のトラック駆動コイル９ｂを有する。フォーカス駆動コイル９ａは、永久磁石８が中心となるように永久磁石８の長さ方向に沿って可動部材３に巻付けられている。このフォーカス駆動コイル９ａに電流を流すことで、可動部材３を介して光ピックアップレンズ２をフォーカス方向へ移動し、電流の流れる方向を変えることで移動方向を変える。
【００４２】
左右一対のトラック駆動コイル９ｂは、バランス軸６の軸芯Ｌ１を対称とする左右位置で可動部材３に巻付けられている。この左右一対のトラック駆動コイル９ｂは、電流を流すことで、可動部材３を介して光ピックアップレンズ２をトラック方向へ移動し、左右の一方のトラック駆動コイル９ｂに選択して電流を流すことで移動方向を変える。
【００４３】
バランス軸６は、軸状に形成され、一端６ａが軸受９９を介して可動部材３に支持され、他端６ｂにバランスウェイト６ｃを有し、バランスする中途部６ｄを固定部材５にジンバル機構９０により揺動可能に軸支されている。このバランス軸６は、中空でもよく、あるいは中空でなくてもよい。また、バランス軸６は、金属で形成しても、強化プラスチック等で形成してもよく、さらに金属を強化プラスチックで被覆したもの等でも良い。
【００４４】
バランス軸６の一端６ａには、図５及び図６に示すように、軸方向から見て球面部６ａ１が形成され、この球面部６ａ１は軸方向に対して直交する方向から見て正四角形状に形成されている。軸受９９は、可動部材３に一体形成されているが、別体に形成して可動部材３に取り付けてもよい。この軸受９９は、軸方向から見て球面部６ａ１と当接する直線部９９ａが４箇所に形成され、この直線部９９ａは直交方向から見て正四角形状の球面部６ａ１と４箇所で点接触で当接し、可動部材３がバランス軸６の軸周りの回動が規制されて揺動可能であり、高精度な光ピックアップレンズの移動制御が可能で、かつ外部振動、衝撃による慣性モーメントをバランス軸によりバランスさせることができる。
【００４５】
このジンバル機構９０は、２軸（Ｙ軸、Ｚ軸）回りに駆動するものであり、図３及び図４に示すように、インナリング９１と、アウタリング９２を有する。インナリング９１にバランス軸６を挿通し、バランス軸６の対称位置に設けた支持軸９３，９３の先端をインナリング９１の内壁の凹部９１ａ，９１ａに点接触させて支持している。このインナリング９１には、支持軸９３，９３と直交する位置に支持軸９３，９３が設けられ、この支持軸９３，９３の先端をアウタリング９２の内壁の凹部９２ａ，９２ａに点接触させて支持している。
【００４６】
このように、バランス軸６をジンバル機構９０により固定部材５に２軸（Ｙ軸、Ｚ軸）回りに揺動可能に軸支したことで、バランス軸６の揺動抵抗が小さく高精度にバランスさせることができる。
【００４７】
このバランス軸６は、フォーカス駆動コイル９ａの開口部９ａ１、鉄心１０の開口１０ａ、永久磁石８の開口８ａを貫通して設けられ、光ピックアップレンズ２の移動によってもバランス軸６と干渉しないようになっている。バランス軸６は、一端６ａ側の光ピックアップレンズ２及び可動部材３と、他端６ｂ側のバランスウェイト６ｃとが中途部６ｄを支点にしてバランスするようになっており、この中途部６ｄに重心がある。
【００４８】
即ち、図１に示すように、バランス軸６の一端６ａ側は、光ピックアップレンズ２の重量Ｗ１と可動部材３の重量Ｘ１で、一端６ａと中途部６ｄとの長さがＤ１である。また、バランス軸６の他端６ｂ側は、バランスウェイト６ｃの重量Ｗ２で、他端６ｂと中途部６ｄとの長さがＤ２である。
【００４９】
この重量（Ｗ１＋Ｘ１）×長さＤ１と、重量（Ｗ２）×長さＤ２の慣性モーメントを等しく設計することで耐振構造になり、光ピックアップレンズ２の重量Ｗ１と可動部材３の重量Ｘ１のトータル重量を少なくすることができ、２次慣性モーメントの減少を期待できる。また、光ピックアップレンズ２の重量Ｗ１と可動部材３の重量Ｘ１は小型化のため、中途部６ｄの廻りでの回転運動構造とし、他端６ｂと中途部６ｄとの長さＤ２を短く、重量（Ｗ２）を大きくし、バランスウェイト６ｃ側で駆動する方式を採用した。
【００５０】
このように、一端６ａを可動部材３に連結し、他端６ｂにバランスウェイト６ｃを有し、バランスする中途部６ｄを固定部材５にジンバル機構９０により揺動可能に軸支したバランス軸６を備え、光ピックアップレンズ２を可動部材３に搭載することで、外部振動、衝撃による慣性モーメントをバランス軸６によりバランスさせる簡単な構造で、情報の読み取り、または情報の記録性能を向上させることができる。
【００５１】
また、永久磁石８を固定側に設け、駆動コイル９を可動部材３に設け、可動部材３側で電磁気力作用により光ピックアップレンズ２の移動制御を行なうことができる。
【００５２】
次に、第２の実施の形態を、図７に基づいて説明する。図７は光学ピックアップレンズ駆動装置を示す平面図である。
【００５３】
この実施の形態は、図１乃至図６の第１の実施の形態と同様な構成は、同じ符号を付して説明を省略する。この実施の形態が、第１の実施の形態と異なることは、バランス軸６がフォーカス駆動コイル９ａ、鉄心１０及び永久磁石８を貫通しないように設けたことである。
【００５４】
即ち、フォーカス駆動コイル９ａ、鉄心１０及び永久磁石８をバランス軸６の軸芯Ｌ１を対称とする左右位置にそれぞれ分割して別々に配置している。左右一対のフォーカス駆動コイル９ａは、それぞれ永久磁石８が中心となるように永久磁石８の長さ方向に沿って可動部材３に巻付けられている。この左右一対のフォーカス駆動コイル９ａに電流を流すことで、可動部材３を介して光ピックアップレンズ２をフォーカス方向へ移動し、電流の流れる方向を変えることで移動方向を変える。
【００５５】
次に、第３の実施の形態を、図８に基づいて説明する。図８は光学ピックアップレンズ駆動装置を示す平面図である。この実施の形態は、図１乃至図６の第１の実施の形態と同様な構成は、同じ符号を付して説明を省略する。この実施の形態が、第１の実施の形態と異なることは、駆動コイル９をバランス軸６に設けたことである。
【００５６】
即ち、バランス軸６にコイル取付部６ｆを設け、このコイル取付部６ｆの開口６ｆ１に鉄心１０及び永久磁石８が位置するように配置し、フォーカス駆動コイル９ａは、永久磁石８が中心となるように永久磁石８の長さ方向に沿ってコイル取付部６ｆに巻付けられている。このフォーカス駆動コイル９ａに電流を流すことで、バランス軸６を介して光ピックアップレンズ２をフォーカス方向へ移動し、電流の流れる方向を変えることで移動方向を変える。
【００５７】
左右一対のトラック駆動コイル９ｂは、バランス軸６の軸芯Ｌ１を対称とする左右位置でコイル取付部６ｆに巻付けられている。この左右一対のトラック駆動コイル９ｂは、電流を流すことで、バランス軸６を介して光ピックアップレンズ２をトラック方向へ移動し、左右の一方のトラック駆動コイル９ｂに選択して電流を流すことで移動方向を変える。
【００５８】
次に、第４の実施の形態を、図９に基づいて説明する。図９は光学ピックアップレンズ駆動装置を示す平面図である。この実施の形態は、図１乃至図６の第１の実施の形態と同様な構成は、同じ符号を付して説明を省略する。この実施の形態が、第１の実施の形態と異なることは、光ピックアップレンズ２をバランス軸６に設けたことである。
【００５９】
即ち、バランス軸６にレンズ取付部６ｇを設け、このレンズ取付部６ｇに光ピックアップレンズ２を取り付け、可動部材３にコイル取付部３ｃを設け、このコイル取付部３ｃの開口３ｃ１に鉄心１０及び永久磁石８が位置するように配置し、フォーカス駆動コイル９ａは、永久磁石８が中心となるように永久磁石８の長さ方向に沿ってコイル取付部３ｃに巻付けられている。左右一対のトラック駆動コイル９ｂは、バランス軸６の軸芯Ｌ１上を対称とする左右位置でコイル取付部３ｃに巻付けられている。
【００６０】
次に、第５の実施の形態を、図１０乃至図１２に基づいて説明する。図１０は光学ピックアップレンズ駆動装置の平面図、図１１は光学ピックアップレンズ駆動装置の側面図、図１２は駆動力とチルト／ヨーイングを説明する図である。
【００６１】
この実施の形態は、図１乃至図６の第１の実施の形態と同様な構成は、同じ符号を付して説明を省略する。この実施の形態が、第１の実施の形態と異なることは、バランス軸６のバランスウェイト６ｃに永久磁石３０を設け、永久磁石３０に対向して電磁気力作用により光ピックアップレンズ２をフォーカス、トラック、チルト、ヨーイング方向へ移動制御する微調整駆動手段Ａを備えていることである。
【００６２】
この微調整駆動手段Ａは、永久磁石３０と対向して固定部材５に配置される調整駆動コイル４０を有し、この調整駆動コイル４０は、フォーカス方向に調整移動する上下に位置するコイル４０ａ、４０ｂと、トラック方向に調整移動する左右に位置するコイル４０ｃ、４０ｄとからなる。
【００６３】
この調整駆動コイル４０のコイル４０ａ〜４０ｄは、図１２に示すように、位置調整板４１に設けられている。この位置調整板４１は、４箇所の調整ガイド孔４１ａに調整ボルト４１ｂを挿通し、調整ボルト４１ｂを緩めて位置調整板４１を調整ガイド孔４１ａによって移動し、所定位置で調整ボルト４１ｂを締め付けて位置を調整することができるようになっている。
【００６４】
バランスウェイト６ｃの垂直（Ｙ）、水平（Ｘ）方向の駆動と、コイル位置を微調整することで、垂直（Ｙ）、水平（Ｘ）方向の誤差駆動が可能になる。
【００６５】
また、調整駆動コイル４０のコイル４０ａ〜４０ｄに別々の電流をコントロールして流し、永久磁石３０と駆動コイル４０のコイル４０ａ〜４０ｄで電磁気力作用してフォーカス方向に移動し、またトラック方向に移動し、さらにチルト、ヨーイング方向の移動制御が可能である。
【００６６】
この微調整駆動手段Ａは、第１の実施の形態に限定されず、第２乃至第４の実施の形態にも同様に適用できる。
【００６７】
次に、第６の実施の形態を、図１３に基づいて説明する。図１３は光学ピックアップレンズ駆動装置の平面図である。この実施の形態では、可動部材３側には永久磁石８と駆動コイル９とにより光ピックアップレンズ２を移動制御する駆動手段を設けないで、バランス軸６のみによって４本の支持ワイヤー４に支持された可動部材３に備えられる光ピックアップレンズ２を移動制御するように構成している。
【００６８】
この駆動手段は、図１０の微調整駆動手段Ａと同様に構成され、例えば、このコイル４０ａ、４０ｂに電流を流すことで、永久磁石３０が上下方向に移動し、これによってバランス軸６が中途部６ｄを支点に揺動し、バランス軸６の一端６ａに接続した可動部材３が上下方向に移動し、光ピックアップレンズ２をフォーカス方向に移動する。一方、コイル４０ｃ、４０ｄに電流を流すことで、永久磁石３０が左右方向に移動し、これによってバランス軸６が中途部６ｄを支点にジンバル機構により揺動し、バランス軸６の一端６ａに接続した可動部材３が左右方向に移動し、光ピックアップレンズ２をトラック方向に移動する。
【００６９】
このように、この実施の形態では、バランス軸６の一端６ａに可動部材３を接続し、他端６ｂにバランスウェイト６ｃを有し、４本の支持ワイヤー４により可動部材３が平行運動し、バランス軸６は中途部６ｄのバランスヒンジ廻りで円周運動を行う構造を採っており、外部振動、衝撃による慣性モーメントをバランス軸６によりバランスさせることができ、かつバランス軸６を介して光ピックアップレンズ２を移動制御することで、簡単な構造で、情報の読み取り、または情報の記録性能を向上させることができる。
【００７０】
また、永久磁石３０と駆動コイル９とによる電磁気力作用による光ピックアップレンズ２の移動制御が、フォーカス、トラック、チルト、ヨーイング方向であり、フォーカス、トラックの耐振性の他、チルト、ヨーイングの移動制御も可能である。
【００７１】
また、この実施の形態では、バランス軸６をジンバル機構９０により固定部材５に揺動可能に軸支しているが、ジンバル機構９０に代えて玉軸受などで軸支してもよい。
【００７２】
さらに、この実施の形態は、図１４及び図１５に示すように構成される。図１４の実施の形態では、光ピックアップレンズ２の周囲に１８０度の角度に２個の駆動制御ユニットＢが配置されている。図１５の実施の形態では、光ピックアップレンズ２の周囲に１２０度の角度に３個の駆動制御ユニットＢが配置されている。
【００７３】
このように、光ピックアップレンズ２の周囲に等角度で複数の駆動制御ユニットＢが配置され、この複数の駆動制御ユニットＢは、図１乃至図１３に示す光学ピックアップレンズ駆動装置で構成され、複数の駆動制御ユニットＢのそれぞれには、一端６ａを光ピックアップレンズ２側に軸受９９を介して支持し、他端にバランスウェイト６ｃを有し、バランスする中途部６ｄを揺動可能に軸支したバランス軸６を備えている。
【００７４】
この実施の形態では、バランス軸６の一端６ａを軸受９９を介して光ピックアップレンズ２側に支持し、光ピックアップレンズ２側がバランス軸の軸周りの回動が規制されて揺動可能であるから、高精度な光ピックアップレンズ２の移動制御が可能で、かつ外部振動、衝撃による慣性モーメントをバランス軸６によりバランスさせることができる。
【００７５】
この実施の形態では、光ピックアップレンズ２の周囲に等角度で複数の駆動制御ユニットＢを配置し、この複数の駆動制御ユニットＢにより光ピックアップレンズ２を移動制御し、複数の駆動制御ユニットＢに備えたバランス軸６により外部振動、衝撃による慣性モーメントをバランスさせることができ、簡単な構造で、情報の読み取り、または情報の記録性能を向上させることができる。
【００７６】
また、この発明は、各実施の形態に示すように、Ｇセンサやそれに伴う補助メモリの容量の削減が可能となり、さらにフォーカスやトラック制御が精密に行われることによる記録密度の向上、エラーレートの向上、電力使用量の削減、衝撃に耐えることができる機器に使用し、大量の情報処理時代を実現することが期待される。特に、振動の大きい自動車用ＤＶＤ等で、ブルーレーザ搭載で記録密度４倍のメディアに使用され、記録媒体上に記録された情報を読み取り、または情報を記録するときのエラーレート減少、コスト減少に期待が持たれている。
【産業上の利用可能性】
【００７７】
この光学ピックアップレンズ駆動装置は、簡単な構造で、情報の読み取り、または情報の記録性能が向上し、高密度記録媒体に記録された情報を読み取り、または情報を記録するものに好ましく適用できる。
【図面の簡単な説明】
【００７８】
【図１】第１の実施の形態の光学ピックアップレンズ駆動装置の平面図である。
【図２】第１の実施の形態の光学ピックアップレンズ駆動装置の側面図である。
【図３】ジンバル機構を示す断面図である。
【図４】図３のＩＶ−ＩＶ線に沿う断面である。
【図５】可動部材とバランス軸との連結を示す平面図である。
【図６】可動部材とバランス軸との連結を示す可動部材側から見た図である。
【図７】第２の実施の形態の光学ピックアップレンズ駆動装置の平面図である。
【図８】第３の実施の形態の光学ピックアップレンズ駆動装置の平面図である。
【図９】第４の実施の形態の光学ピックアップレンズ駆動装置の平面図である。
【図１０】第５の実施の形態の光学ピックアップレンズ駆動装置の平面図である。
【図１１】第５の実施の形態の光学ピックアップレンズ駆動装置の側面図である。
【図１２】駆動力とチルト／ヨーイングを説明する図である。
【図１３】第６の実施の形態の光学ピックアップレンズ駆動装置の平面図である。
【図１４】光ピックアップレンズの周囲に１８０度の角度で２個の駆動制御ユニットを配置した実施の形態を示す概略構成図である。
【図１５】光ピックアップレンズの周囲に１２０度の角度で３個の駆動制御ユニットを配置した実施の形態を示す概略構成図である。
【符号の説明】
【００７９】
１  光学ピックアップレンズ駆動装置
２  光ピックアップレンズ
３  可動部材
４  ４本の支持ワイヤー
５  固定部材
６  バランス軸
７  駆動手段
８  永久磁石
９  駆動コイル
９０  ジンバル機構
Ａ  微調整駆動手段
Ｂ  駆動制御ユニット
【図１】
2005196927.tif 000003
【図２】
2005196927.tif 000004
【図３】
2005196927.tif 000005
【図４】
2005196927.tif 000006
【図５】
2005196927.tif 000007
【図６】
2005196927.tif 000008
【図７】
2005196927.tif 000009
【図８】
2005196927.tif 000010
【図９】
2005196927.tif 000011
【図１０】
2005196927.tif 000012
【図１１】
2005196927.tif 000013
【図１２】
2005196927.tif 000014
【図１３】
2005196927.tif 000015
【図１４】
2005196927.tif 000016
【図１５】
2005196927.tif 000017